(57)【要約】【課題】災害時において、医療用酸素ガス貯留所から治療装置までの医療用酸素ガス配管が破損した場合や、多数の患者が搬送されて待合室や廊下などの医療用酸素ガス配管端末器のない場所に収容された場合にも、迅速、安全かつ確実に、患者に医療用酸素ガスを供給することができる緊急医療用酸素供給装置を提供する。【解決手段】医療用酸素ガス貯留所から患者までの医療用酸素ガス供給経路の中間に設置する災害時用の緊急医療用酸素供給装置であって、総容積が１,０００〜３０,０００ｍＬであり、３〜１０個のガス供給取出口を有する密閉容器と、該ガス供給取出口と接続するカプラーを有する医療用酸素ガス貯留所から該密閉容器まで連通するガス供給ホース及び該密閉容器から治療装置まで連通するガス取出ホースとの組み合わせからなることを特徴とする緊急医療用酸素供給装置。【選択図】図１
0003129296.tif 000002
【実用新案登録請求の範囲】
【請求項１】
医療用酸素ガス貯留所から患者までの医療用酸素ガス供給経路の中間に設置する災害時用の緊急医療用酸素供給装置であって、総容積が１,０００〜３０,０００ｍＬであり、３〜１０個のガス供給取出口を有する密閉容器と、該ガス供給取出口と接続するカプラーを有する医療用酸素ガス貯留所から該密閉容器まで連通するガス供給ホース及び該密閉容器から治療装置まで連通するガス取出ホースとの組み合わせからなることを特徴とする緊急医療用酸素供給装置。
【請求項２】
密閉容器が、両端に鏡板を有する円筒状の密閉容器であり、その内径が５０〜３００ｍｍである請求項１記載の緊急医療用酸素供給装置。
【請求項３】
密閉容器が、キャスター付きの架台上に略水平に設置されてなる請求項１又は請求項２記載の緊急医療用酸素供給装置。
【請求項４】
ガス供給ホースが、両端に相互に接続するカプラーを有する複数本のホースユニットからなる請求項１記載の緊急医療用酸素供給装置。
【請求項５】
ガス取出ホースが、人工呼吸器と接続して使用される請求項１記載の緊急医療用酸素供給装置。
【考案の詳細な説明】
【技術分野】
【０００１】
本考案は、緊急医療用酸素供給装置に関する。さらに詳しくは、本考案は、災害時において、医療用酸素ガス貯留所から治療装置までの医療用酸素ガス配管が破損した場合や、多数の患者が搬送されて待合室や廊下などの医療用酸素ガス配管端末器のない場所に収容された場合にも、迅速、安全かつ確実に、患者に医療用酸素ガスを供給することができる緊急医療用酸素供給装置に関する。
【背景技術】
【０００２】
医療機関などで用いられる医療用ガスとして、酸素、空気、窒素、二酸化炭素、亜酸化窒素、その他の混合ガス、殺菌ガス、キセノンがガス性医薬品として薬事法に規定されている。これらの中で、酸素ガスは消費量が多く、特に重要である。診療用の医療ガスは、患者の生命維持に直接影響を及ぼすので、手術室、集中治療室、心疾患治療室、未熟児室、回復室、病室などへ、常に安定した圧力と流量で供給されることが要求される。
空気の深冷分離により製造された液化酸素は、日本薬局方に定める純度試験が行われ、酸素純度、酸及びアルカリ、二酸化炭素、酸化性物質及び塩化物などが確認されたのち、タンクローリーにより配送され、医療機関の定置式液化酸素貯槽（ＣＥ）に充填される。医療用酸素ガスの消費量が少ない医療機関や、医療用酸素ガスを大量に消費する医療機関であっても、市街地で安全距離確保の点から定置式液化酸素貯槽の設置が困難な場合には、可搬式液化酸素容器（ＬＧＣ）が用いられる。
定置式液化酸素貯槽や可搬式液化酸素容器の液化酸素は、蒸発させて酸素ガスとし、圧力制御装置、医療用酸素ガス配管を経て、手術室、病室などに送られ、医療用酸素ガス配管端末器（アウトレット）に器具を差し込むワンタッチ操作により取り出され、酸素流量計、高気圧酸素治療装置、新生児用保育器、人工呼吸器などで使用される。
現在は各医療機関の手術室、病室などには医療用酸素ガス配管端末器が設けられていることは当然のこととされ、大災害が発生し、医療用酸素ガス配管が破損し、定置式液化酸素貯槽などから病室などへの医療用酸素ガスの送給が不可能になった事態の十分な対策が立てられていない場合が多い。緊急時に対応するために、病室などには医療用酸素ガスの小型ボンベが備蓄されているが、患者の生命に直接かかわる人工呼吸器などに長期にわたって供給するためには、ガス量が絶対的に不足する。また、大災害が発生し、多数の患者が医療機関に搬送され、待合室や廊下などに仮設されたベッドに収容された場合には、待合室や廊下などには通常は医療用酸素ガス配管端末器が設けられていないので、必要があっても患者に医療用酸素ガスを供給することができない。
【考案の開示】
【考案が解決しようとする課題】
【０００３】
本考案は、災害時において、医療用酸素ガス貯留所から治療装置までの医療用酸素ガス配管が破損した場合や、多数の患者が搬送されて待合室や廊下などの医療用酸素ガス配管端末器のない場所に収容された場合にも、迅速、安全かつ確実に、患者に医療用酸素ガスを供給することができる緊急医療用酸素供給装置を提供することを目的としてなされたものである。
【課題を解決するための手段】
【０００４】
本考案者は、上記の課題を解決すべく鋭意研究を重ねた結果、総容積が１,０００〜３０,０００ｍＬで、３〜１０個のガス供給取出口を有する密閉容器と、該ガス供給取出口と接続するカプラーを有する医療用酸素ガス貯留所から該密閉容器まで連通するガス供給ホース及び該密閉容器から治療装置まで連通するガス取出ホースとを組み合わせ、平常時には医療用酸素ガス貯留所にガス供給ホースを、病室などには密閉容器とガス取出ホースを備え、緊急時には医療用酸素ガス貯留所から病室などへガス供給ホースを引き、ガス供給ホースを密閉容器のガス供給取出口の一部に接続し、ガス取出ホースを密閉容器のガス供給取出口の他部に接続することにより、短時間で医療用酸素ガスの供給態勢を整え、長期にわたって安定して患者に医療用酸素ガスを供給し続けることが可能となることを見いだし、この知見に基づいて本考案を完成するに至った。
すなわち、本考案は、
（１）医療用酸素ガス貯留所から患者までの医療用酸素ガス供給経路の中間に設置する災害時用の緊急医療用酸素供給装置であって、総容積が１,０００〜３０,０００ｍＬであり、３〜１０個のガス供給取出口を有する密閉容器と、該ガス供給取出口と接続するカプラーを有する医療用酸素ガス貯留所から該密閉容器まで連通するガス供給ホース及び該密閉容器から治療装置まで連通するガス取出ホースとの組み合わせからなることを特徴とする緊急医療用酸素供給装置、
（２）密閉容器が、両端に鏡板を有する円筒状の密閉容器であり、その内径が５０〜３００ｍｍである(１)記載の緊急医療用酸素供給装置、
（３）密閉容器が、キャスター付きの架台上に略水平に設置されてなる(１)又は(２)記載の緊急医療用酸素供給装置、
（４）ガス供給ホースが、両端に相互に接続するカプラーを有する複数本のホースユニットからなる(１)記載の緊急医療用酸素供給装置、及び、
（５）ガス取出ホースが、人工呼吸器と接続して使用される(１)記載の緊急医療用酸素供給装置、
を提供するものである。
【考案の効果】
【０００５】
本考案の緊急医療用酸素供給装置は、ガス供給ホース、ガス供給取出口を有する密閉容器及びガス取出ホースの組み合わせからなり、平常時はガス供給ホースを医療用酸素ガス貯留所に備え、密閉容器とガス取出ホースを病室などに備えておくので、医療機関の現状の設備に手を加えることなく、災害時における医療用酸素ガス供給態勢を経済的に整えることができる。災害が発生し、医療用酸素ガス配管が破損した場合には、医療用酸素ガス貯留所から病室などまでガス供給ホースを引いて密閉容器のガス供給取出口に接続し、密閉容器のガス供給取出口に直接またはガス取出ホースを接続することにより治療装置に医療用酸素ガスを供給するので、短時間で医療用酸素ガスを安定して供給することができる。本考案の緊急医療用酸素供給装置は、比較的多量の医療用酸素ガスを長期にわたって消費し、しかも患者の生命に直接関与する人工呼吸器の緊急時の運転に好適に適用することができる。また、大災害が発生して多数の患者が搬送され、待合室、廊下などの医療用酸素ガス配管端末器のない場所の仮設ベッドに収容された場合にも、必要な患者に医療用酸素ガスを簡便に供給することができる。
【考案を実施するための最良の形態】
【０００６】
本考案の緊急医療用酸素供給装置は、医療用酸素ガス貯留所から患者までの医療用酸素ガス供給経路の中間に設置する災害時用の緊急医療用酸素供給装置であって、総容積が１,０００〜３０,０００ｍＬであり、３〜１０個のガス供給取出口を有する密閉容器と、該ガス供給取出口と接続するカプラーを有する医療用酸素ガス貯留所から該密閉容器まで連通するガス供給ホース及び該密閉容器から治療装置まで連通するガス取出ホースとの組み合わせからなる。
医療用酸素ガスは、医療機関の医療用酸素ガス貯留所の定置式液化酸素貯槽（ＣＥ）、可搬式液化酸素容器（ＬＧＣ）などに液化酸素として貯留され、蒸発させて酸素ガスとしたのち、圧力制御装置、医療用酸素ガス配管を経て、手術室、病室などに送られ、医療用酸素ガス配管端末器（アウトレット）に器具を差し込むワンタッチ操作により取り出され、酸素流量計、高気圧酸素治療装置、新生児用保育器、人工呼吸器などで使用される。本考案の緊急医療用酸素供給装置によれば、災害時に医療用酸素ガス配管などに故障が生じ、医療用酸素ガス貯留所から病室など設けられた医療用酸素ガス配管端末器（アウトレット）までのガスの送給が困難になったとき、短時間で医療用酸素ガスの代替供給経路を整備し、患者の治療を支障なく安定して続けることができる。本考案装置を用いて医療用酸素ガスを供給する治療装置としては、例えば、酸素流量計、高気圧酸素治療装置、新生児用保育器、麻酔器、人工呼吸器などを挙げることができる。これらの中で、人工呼吸器は、患者の生命に直接に関与し、災害時には短時間の復旧が肝要であり、酸素ガスの消費量が多く、酸素ガスが供給されなければ作動しないので、本考案装置を特に好適に適用することができる。
【０００７】
図１は、本考案の緊急医療用酸素供給装置の一態様の斜視図である。本態様の緊急医療用酸素供給装置は、密閉容器１、ガス供給ホース２及びガス取出ホース３の組み合わせからなる。図１に示す態様の密閉容器１は、図面で視認し得る側に３個のガス供給取出口４を有し、さらに該ガス供給取出口と中心軸を対称軸とする回転対称の位置に、図面で視認し得ない３個のガス供給取出口を有し、合計して６個のガス供給取出口を有する。ガス供給ホース２は、ガス供給取出口とワンタッチで接続するカプラー５を有し、医療用酸素ガス貯留所から密閉容器まで連通して、密閉容器に医療用酸素ガスを供給する。ガス取出ホース３は、ガス供給取出口とワンタッチで接続するカプラー６を有し、密閉容器から治療装置まで連通し、密閉容器から医療用酸素ガスを取り出し、治療装置に供給する。
本考案装置の密閉容器は、総容積１,０００〜３０,０００ｍＬであり、より好ましくは２,０００〜２０,０００ｍＬである。密閉容器の総容積が１,０００ｍＬ未満であると、医療用酸素ガスの圧力変動が大きく、治療装置に医療用酸素ガスを安定して供給することが困難となるおそれがある。密閉容器の総容積３０,０００ｍＬ以下で医療用酸素ガスの圧力は十分に安定し、総容積が３０,０００ｍＬを超えると、体積、重量ともに大きくなりすぎて、取り扱いに不便を感ずるおそれがある。
【０００８】
本考案装置の密閉容器は、ガス供給取出口３〜１０個を有し、より好ましくは４〜８個を有する。本考案装置のガス供給取出口は、すべて同じ形状であり、ガス供給口としても、ガス取出口としても使用し得ることが好ましい。したがって、ガス供給ホース２のカプラー５と、ガス取出ホース３のカプラー６は、同じ形状であることが好ましい。ガス供給取出口をすべて同じ形状とすることにより、状況に応じてガス供給口として使用することも、ガス取出口として使用することも可能になり、装置の自由度が増し、使い勝手がよくなる。ガス供給取出口が２個であると、ガス供給口１個とガス取出口１個としてしか使用できないので、装置の自由度が極端に制限される。ガス供給口とガス取出口の必要数が合計して１０個を超えることは稀であり、ガス供給取出口が１０個を超えると、装置の簡便さが失われるおそれがある。治療装置によって装置を作動するための医療用酸素ガスの最低圧力が定められているので、該最低圧力と運転する治療装置の基数を考慮して、使用するガス供給ホースとガス取出ホースの本数を選択することができる。
本考案の緊急医療用酸素供給装置においては、密閉容器が両端に鏡板を有する円筒状の密閉容器であることが好ましく、その内径が５０〜３００ｍｍであることが好ましく、６５〜２５０ｍｍであることがより好ましい。図１に示す態様の密閉容器は、円筒状であり、両端に鏡板７を有する。円筒状の容器は工作しやすく、耐圧性が大きいので好適に用いることができる。両端の鏡板は、外側に膨らんだ形状を有すると耐圧性が良好になるので好ましい。円筒状の密閉容器の内径が５０ｍｍ未満であると、必要容積を確保しようとすると、密閉容器が長くなりすぎて、使い勝手が悪くなるおそれがある。円筒状の密閉容器の内径が３００ｍｍを超えると、密閉容器が重くなりすぎ、また、ずんぐりした形状となって、使い勝手が悪くなるおそれがある。
【０００９】
本考案の緊急医療用酸素供給装置は、密閉容器がキャスター付きの架台上に略水平に設置されてなることが好ましい。図２は、本考案の緊急医療用酸素供給装置の他の態様の正面図、上面図及び側面図である。本態様の装置は、６個のガス供給取出口４を有する円筒状の密閉容器１が、キャスター８の付いた架台９の上に、Ｕバンド１０を用いて水平に設置されている。本態様の装置は、平常時は病室などの片隅に常備しておき、緊急時にはキャスターを利用して、必要な場所に迅速に移動することができる。密閉容器は、垂直に設置すると占有する床面積は小さくなるが、水平に設置するとすべてのガス供給取出口が同じ高さに位置し、かつ、密閉容器に２個のハンドル１１を取り付けることができるので、装置の取り扱い作業性が格段に向上する。図２に示す態様の装置においては、密閉容器に圧力計１２が設けられている。密閉容器に圧力計を設けることにより、密閉容器内の医療用酸素ガスの圧力を常に監視することができる。
図３は、本考案装置の密閉容器の他の態様の正面図、上面図及び側面図である。本態様の密閉容器は、両端に平板の鏡板１３を有する円筒状の密閉容器であり、両側方に３個ずつのガス供給取出口４と上方に２個のガス供給取出口４を備え、合計８個のガス供給取出口を有する。本態様の密閉容器は、例えば、上方の２個のガス供給取出口をガス供給口として使用し、側方の６個のガス供給取出口をガス取出口として使用して、６基の治療装置に同時に医療用酸素ガスを供給することができる。図３に示す態様の密閉容器には、上方に２個のハンドル１１と、側方に圧力計１２が設けられている。
本考案の緊急医療用酸素供給装置のガス供給ホースは、両端に相互にワンタッチで接続するカプラーを有する複数本のホースユニットからなることが好ましい。医療機関においては、医療用酸素ガス貯留所から患者までの距離が１００ｍ以上であることも稀ではない。このような距離になると、医療用酸素ガス貯留所から患者まで１本のガス供給ホースを展張するよりも、短い複数本のホースユニットを接続する方が作業時間を短縮することができる。例えば、医療用酸素ガス貯留所から患者までの距離が１４０ｍである場合、長さ４０ｍのホースユニット３本と長さ２０ｍのホースユニット１本を接続して用いることができる。このような作業に要する時間は、通常は１０分以内である。
【実施例】
【００１０】
以下に、実施例を挙げて本考案をさらに詳細に説明するが、本考案はこれらの実施例によりなんら限定されるものではない。
実施例１
医療用酸素ガス貯留所の定置式液化酸素貯槽（ＣＥ）から、病室に設置した図２に示すガス供給取出口を有する総容量２,０００ｍＬの密閉容器まで、１４０ｍの距離に、内径６ｍｍ、外径１１ｍｍ、長さ４０ｍのポリウレタン製ホースユニット３本と、同じ内外径で長さ２０ｍのポリウレタン製ホースユニット１本を接続して、ガス供給ホースを展張し、医療用酸素ガス貯留所の圧力制御装置と密閉容器を接続した。ガス供給ホースの展張と接続に要した時間は、８分であった。
密閉容器の一方の側方の中央のガス供給取出口１個に、医療用酸素ガスを圧力０.４８ＭＰａで供給し、他の側方のガス供給取出口３個から、それぞれ流量１０Ｌ／分で医療用酸素ガスを流出させた。ガス流出中の医療用酸素ガスの圧力は、０.４３ＭＰａであった。ガス供給取出口３個からの医療用酸素ガスの流量をそれぞれ２０Ｌ／分とすると、ガス流出中の医療用酸素ガスの圧力は０.３１ＭＰａとなった。さらに、ガス供給取出口３個からの医療用酸素ガスの流量をそれぞれ３０Ｌ／分とすると、ガス流出中の医療用酸素ガスの圧力は０.２２ＭＰａとなった。この結果から、この条件では、最低作動圧力が０.３ＭＰａの治療装置３基を用いる場合、１基について２０Ｌ／分の医療用酸素ガスの供給が可能であることが分かる。
密閉容器の一方の側方の中央のガス供給取出口１個に、医療用酸素ガスを圧力０.４８ＭＰａで供給し、他の側方の中央のガス供給取出口１個から、流量５０Ｌ／分で医療用酸素ガスを流出させた。ガス流出中の医療用酸素ガスの圧力は、０.４５ＭＰａであった。ガス供給取出口からの医療用酸素ガスの流量を１００Ｌ／分とすると、ガス流出中の医療用酸素ガスの圧力は０.３７ＭＰａとなった。この結果から、この条件では、最低作動圧力が０.３ＭＰａの治療装置１基を用いる場合、１００Ｌ／分の医療用酸素ガスの供給が可能であることが分かる。
密閉容器の一方の側方の左右のガス供給取出口計２個に、医療用酸素ガスを圧力０.４８ＭＰａで供給し、他の側方のガス供給取出口３個から、それぞれ流量１０Ｌ／分で医療用酸素ガスを流出させた。ガス流出中の医療用酸素ガスの圧力は、０.４６ＭＰａであった。ガス供給取出口からの医療用酸素ガスの流量をそれぞれ２０Ｌ／分とすると、ガス流出中の医療用酸素ガスの圧力は０.４２ＭＰａとなった。さらに、医療用酸素ガスの流量をそれぞれ３０Ｌ／分、４０Ｌ／分、５０Ｌ／分、６０Ｌ／分に増加すると、ガス流出中の医療用酸素ガスの圧力は、０.３８ＭＰａ、０.３３ＭＰａ、０.２６ＭＰａ、０.１７ＭＰａとなった。この結果から、この条件では、最低作動圧力が０.３ＭＰａの治療装置３基を用いる場合、４０Ｌ／分の医療用酸素ガスの供給が可能であることが分かる。
密閉容器の一方の側方の左右のガス供給取出口計２個に、医療用酸素ガスを圧力０.４８ＭＰａで供給し、他の側方のガス供給取出口１個から、流量５０Ｌ／分で医療用酸素ガスを流出させた。ガス流出中の医療用酸素ガスの圧力は、０.４７ＭＰａであった。ガス供給取出口からの医療用酸素ガスの流量を１００Ｌ／分とすると、ガス流出中の医療用酸素ガスの圧力は０.４５ＭＰａとなった。さらに、医療用酸素ガスの流量を１５０Ｌ／分、２００Ｌ／分、２２０Ｌ／分に増加すると、ガス流出中の医療用酸素ガスの圧力は、０.４１ＭＰａ、０.３６ＭＰａ、０.３４ＭＰａとなった。この結果から、この条件では、最低作動圧力が０.３ＭＰａの治療装置１基を用いる場合、２２０Ｌ／分の医療用酸素ガスの供給が可能であることが分かる。
実施例１の結果を、第１表に示す。
【００１１】
【表１】
0003129296.tif 000003
【００１２】
実施例２
医療用酸素ガス貯留所の定置式液化酸素貯槽（ＣＥ）から、病室に設置した図３に示すガス供給取出口を有する総容量２２,６００ｍＬの密閉容器まで、１４０ｍの距離に、内径６ｍｍ、外径１１ｍｍ、長さ５０ｍのポリウレタン製ホースユニット２本と、同じ内外径で長さ４０ｍのポリウレタン製ホースユニット１本を接続して、ガス供給ホースを展張し、医療用酸素ガス貯留所の圧力制御装置と密閉容器を接続した。ガス供給ホースの展張と接続に要した時間は、７分であった。
密閉容器の上方のガス供給取出口１個に、医療用酸素ガスを圧力０.４６ＭＰａで供給し、一方の側方のガス供給取出口３個から、それぞれ流量１０Ｌ／分で医療用酸素ガスを流出させた。ガス流出中の医療用酸素ガスの圧力は、０.４５ＭＰａであった。ガス供給取出口からの医療用酸素ガスの流量をそれぞれ２０Ｌ／分とすると、ガス流出中の医療用酸素ガスの圧力は０.４２ＭＰａとなった。さらに、医療用酸素ガスの流量をそれぞれ３０Ｌ／分、３５Ｌ／分、４０Ｌ／分と増加すると、ガス流出中の医療用酸素ガスの圧力は０.３７ＭＰａ、０.２７ＭＰａ、０.２２ＭＰａとなった。この結果から、この条件では、最低作動圧力が０.３ＭＰａの治療装置３基を用いる場合、３０Ｌ／分の医療用酸素ガスの供給が可能であることが分かる。
密閉容器の上方のガス供給取出口１個に、医療用酸素ガスを圧力０.４６ＭＰａで供給し、一方の側方の中央のガス供給取出口１個から、流量５０Ｌ／分で医療用酸素ガスを流出させた。ガス流出中の医療用酸素ガスの圧力は、０.４４ＭＰａであった。ガス供給取出口からの医療用酸素ガスの流量を１００Ｌ／分とすると、ガス流出中の医療用酸素ガスの圧力は０.４０ＭＰａとなった。この結果から、この条件では、最低作動圧力が０.３ＭＰａの治療装置１基を用いる場合、１００Ｌ／分の医療用酸素ガスの供給が可能であることが分かる。
密閉容器の上方のガス供給取出口２個に、医療用酸素ガスを圧力０.４６ＭＰａで供給し、一方の側方のガス供給取出口３個から、それぞれ流量１０Ｌ／分で医療用酸素ガスを流出させた。ガス流出中の医療用酸素ガスの圧力は、０.４５ＭＰａであった。ガス供給取出口からの医療用酸素ガスの流量をそれぞれ２０Ｌ／分とすると、ガス流出中の医療用酸素ガスの圧力は０.４３ＭＰａとなった。さらに、医療用酸素ガスの流量をそれぞれ３０Ｌ／分、４０Ｌ／分、５０Ｌ／分、６０Ｌ／分と増加すると、ガス流出中の医療用酸素ガスの圧力は０.４０ＭＰａ、０.３５ＭＰａ、０.３０ＭＰａ、０.１９ＭＰａとなった。この結果から、この条件では、最低作動圧力が０.３ＭＰａの治療装置３基を用いる場合、５０Ｌ／分の医療用酸素ガスの供給が可能であることが分かる。
密閉容器の上方のガス供給取出口２個に、医療用酸素ガスを圧力０.４６ＭＰａで供給し、一方の側方の中央のガス供給取出口１個から、流量５０Ｌ／分で医療用酸素ガスを流出させた。ガス流出中の医療用酸素ガスの圧力は、０.４６ＭＰａであった。ガス供給取出口からの医療用酸素ガスの流量を１００Ｌ／分とすると、ガス流出中の医療用酸素ガスの圧力は０.４４ＭＰａとなった。さらに、医療用酸素ガスの流量をそれぞれ１５０Ｌ／分、２００Ｌ／分、２２０Ｌ／分、２５０Ｌ／分、３００Ｌ／分と増加すると、ガス流出中の医療用酸素ガスの圧力は０.４０ＭＰａ、０.３７ＭＰａ、０.３５ＭＰａ、０.３３ＭＰａ、０.２８ＭＰａとなった。この結果から、この条件では、最低作動圧力が０.３ＭＰａの治療装置１基を用いる場合、２５０Ｌ／分の医療用酸素ガスの供給が可能であることが分かる。
実施例２の結果を、第２表に示す。
【００１３】
【表２】
0003129296.tif 000004
【産業上の利用可能性】
【００１４】
本考案の緊急医療用酸素供給装置は、ガス供給ホース、ガス供給取出口を有する密閉容器及びガス取出ホースの組み合わせからなり、平常時はガス供給ホースを医療用酸素ガス貯留所に備え、密閉容器とガス取出ホースを病室などに備えておくので、医療機関の現状の設備に手を加えることなく、災害時における医療用酸素ガス供給態勢を経済的に整えることができる。災害が発生し、医療用酸素ガス配管が破損した場合には、医療用酸素ガス貯留所から病室などまでガス供給ホースを引いて密閉容器のガス供給取出口に接続し、密閉容器のガス供給取出口にガス取出ホースを接続することにより、治療装置に医療用酸素ガスを供給するので、短時間で医療用酸素ガスを安定して供給することができる。本考案の緊急医療用酸素供給装置は、比較的多量の医療用酸素ガスを長期にわたって消費し、しかも患者の生命に直接関与する人工呼吸器の緊急時の運転に好適に適用することができる。また、大災害が発生して多数の患者が搬送され、待合室、廊下などの医療用酸素ガス配管端末器のない場所の仮設ベッドに収容された場合にも、必要な患者に医療用酸素ガスを簡便に供給することができる。
【図面の簡単な説明】
【００１５】
【図１】本考案の緊急医療用酸素供給装置の一態様の斜視図である。
【図２】本考案の緊急医療用酸素供給装置の他の態様の正面図、上面図及び側面図である。
【図３】本考案装置の密閉容器の他の態様の正面図、上面図及び側面図である。
【符号の説明】
【００１６】
１  密閉容器
２  ガス供給ホース
３  ガス取出ホース
４  ガス供給取出口
５  カプラー
６  カプラー
７  鏡板
８  キャスター
９  架台
１０  Ｕバンド
１１  ハンドル
１２  圧力計
１３  鏡板
【図１】
0003129296.tif 000005
【図２】
0003129296.tif 000006
【図３】
0003129296.tif 000007